(57)【要約】      （修正有）【課題】目地部付近の壁面を有する躯体に設置可能で、確実に目地部をカバーする屋上用目地カバー装置を提供する。【解決手段】左右の躯体間の目地部をカバーする屋上用目地カバー装置であって、一方の躯体に設けられた水切りカバーと、水切りカバーの上部にその突出端部が位置し、基端部が他方の躯体の外壁に取付けられた固定目地カバーと、固定目地カバーと水切りカバーの間に設けられた可動目地カバーとを備え、可動目地カバーは、他方の躯体に固定された可動目地カバー用支持アームと、可動目地カバー用支持アームの上部に支持され、前後左右方向にスライド移動可能に設けられた可動目地カバー本体と、可動目地カバー本体を他方の躯体側へ引っ張るように付勢する付勢手段とで構成され、地震で目地部が広くなる場合に、水切りカバーは、可動目地カバーを押圧し、可動目地カバーを付勢手段の付勢力に抗して目地部側へスライド移動させることを特徴とする。【選択図】図１
2019056206.tif 000002
【特許請求の範囲】
【請求項１】
目地部を介して設けられた左右の躯体間の目地部をカバーする屋上用目地カバー装置であって、一方の躯体に設けられた水切りカバーと、該水切りカバーの上部にその突出端部が位置し、基端部が他方の躯体の外壁に取付けられた固定目地カバーと、この固定目地カバーと前記水切りカバーの間に設けられた可動目地カバーとを備え、前記可動目地カバーは、前記他方の躯体に固定された可動目地カバー用支持アームと、該可動目地カバー用支持アームの上部に支持され、前後左右方向にスライド移動可能に設けられた可動目地カバー本体と、該可動目地カバー本体を前記他方の躯体側へ引っ張るように付勢する付勢手段とで構成され、地震で前記目地部が広くなるように前記左右の躯体が揺れ動いた場合に、前記水切りカバーは、前記可動目地カバーを押圧し、可動目地カバーを前記付勢手段の付勢力に抗して目地部側へスライド移動させることを特徴とする屋上用目地カバー装置。
【請求項２】
可動目地カバー支持アームには、可動目地カバーをスムーズにスライドさせるスベリ部材を更に備えることを特徴とする請求項１に記載の屋上用目地カバー装置。
【請求項３】
可動目地カバー本体は、フレーム部材と、該フレーム部材の少なくとも上面を覆う板部材とで構成されていることを特徴とする請求項１又は請求項２のいずれかに記載の屋上用目地カバー装置。
【発明の詳細な説明】
【技術分野】
【０００１】
本発明は目地部を介して設けられた躯体の間の目地部を塞ぐ屋上用目地カバー装置に関する。
【背景技術】
【０００２】
従来の屋上用目地カバー装置は、低い一方の建物のパラペットに取付けられた目地部側が略垂直上方へ突出する防水カバー支持片が形成されたクランク状の水切りカバーと、この水切りカバーの上部を略覆うように高い他方の建物の外壁に一端部が取付けられ、かつ、他端部に下方へ突出する側板を有する目地カバーと、この目地カバーの前記側板と前記水切りカバーとの間より内部に水が浸入するのを阻止する防水手段とで構成されたものが開示されている（特許文献１）。
【０００３】
しかしながら、このような屋上用目地カバー装置では、地震によって目地部の寸法分左右方向に揺れ動く場合（目地部の幅が略０〜２倍程度になる）、目地カバーの先端部が一方の建物に設置された構造物等に衝突しないためには、目地部の幅の約３倍の長さがなければ、構造物等を設置することができず、低い方の建物のパラペット付近に躯体の構造物等がある場合には、屋上用目地カバー装置の目地カバーが躯体の構造物等に衝突するという問題点があった。
【０００４】
その結果、目地カバーや躯体の壁面等が損傷してしまう、又は、目地部を十分に覆う寸法の目地カバーを設置できず、地震によって目地部が広くなった場合には、目地カバーと水切りカバーとの間に隙間が開いてしまうという欠点があった。
【先行技術文献】
【特許文献】
【０００５】
【特許文献１】特開２０１５−２１２４６５号公報
【発明の概要】
【発明が解決しようとする課題】
【０００６】
本発明は以上のような従来の欠点に鑑み、壁面等を目地部付近に有する躯体にも設置可能で、確実に目地部をカバーすることができる屋上用目地カバー装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の屋上用目地カバー装置は、目地部を介して設けられた左右の躯体間の目地部をカバーする屋上用目地カバー装置であって、一方の躯体に設けられた水切りカバーと、該水切りカバーの上部にその突出端部が位置し、基端部が他方の躯体の外壁に取付けられた固定目地カバーと、この固定目地カバーと前記水切りカバーの間に設けられた可動目地カバーとを備え、前記可動目地カバーは、前記他方の躯体に固定された可動目地カバー用支持アームと、該可動目地カバー用支持アームの上部に支持され、前後左右方向にスライド移動可能に設けられた可動目地カバー本体と、該可動目地カバー本体を前記他方の躯体側へ引っ張るように付勢する付勢手段とで構成され、地震で前記目地部が広くなるように前記左右の躯体が揺れ動いた場合に、前記水切りカバーは、前記可動目地カバーを押圧し、可動目地カバーを前記付勢手段の付勢力に抗して目地部側へスライド移動させることを特徴とする。
【発明の効果】
【０００９】
以上の説明から明らかなように、本発明にあっては次に列挙する効果が得られる。
（１）請求項１に記載の発明においては、目地部が広くなるように地震で左右の躯体が揺れ動いた場合に、可動目地カバーを一方の躯体側へスライド移動させて目地部が開口することなく塞ぐことができる。
したがって、水切りカバー部分の寸法を小さくすることができ、壁面等を目地部付近に有し、壁面等まで目地部の３倍以上の寸法を確保できない躯体にも設置することができる。
（２）請求項２に記載の発明においても、前記（１）と同様な効果が得られると共に、地震によって、左右の躯体が揺れ動いた場合に、可動目地カバーをスムーズにスライドさせることができる。
（３）請求項３に記載の発明においても、前記（１）〜（２）と同様な効果が得られると共に、強度を確保しながら軽量化を図ることができる。
【図面の簡単な説明】
【００１０】
図１乃至図９は本発明の第１の実施形態を示す説明図である。
図１０乃至図１２は本発明の第２の実施形態を示す説明図である。
図１３乃至図１５は本発明の第３の実施形態を示す説明図である。
図１６及び図１７は本発明の第４の実施形態を示す説明図である。
【図１】第１の実施形態を示す屋上用目地カバー装置の平面図（通常時）。
【図２】図１の２−２線に沿う断面図。
【図３】図１の３−３線に沿う断面図。
【図４】水切りカバーの説明図。
【図５】固定目地カバーの説明図。
【図６】可動目地カバーの説明図。
【図７】固定目地カバー用支持アーム及び可動目地カバー用支持アームの説明図。
【図８】地震で目地部が狭くなった正面視側からの動作説明図。
【図９】地震で目地部が広くなった正面視側からの動作説明図。
【図１０】第２の実施形態を示す屋上用目地カバー装置の平面図。
【図１１】図１０の１１−１１線に沿う断面図。
【図１２】支持アームの説明図。
【図１３】第３の実施形態を示す屋上用目地カバー装置の平面図。
【図１４】図１３の１４−１４線に沿う断面図。
【図１５】支持アームの説明図。
【図１６】第４の実施形態を示す屋上用目地カバー装置の平面図。
【図１７】図１６の１７−１７線に沿う断面図。
【発明を実施するための形態】
【００１１】
以下、図面に示す本発明を実施するための形態により、本発明を詳細に説明する。
図１乃至図９に示す本発明を実施するための第１の形態において、１は目地部２を介して設けられた一方の躯体３及び他方の躯体４間に設置された屋上用目地カバー装置である。
なお、左右方向とは図１（平面視）における左右方向であり、前後方向とは図１における上下方向、上下方向とは図２における上下方向をいう。
【００１２】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１３】
本実施形態の屋上用目地カバー装置１は、図１乃至図３に示すように、一方の躯体３のパラペット５に設けられた水切りカバー６と、該水切りカバー６の一方の躯体３側の端部付近にその突出端部７ａが位置し、他方の躯体４の外壁４ａに取付けられた固定目地カバー７と、この固定目地カバー７と前記水切りカバー６の間に設けられた可動目地カバー８とで構成されている。
【００１４】
水切りカバー６は、図４に示すように、一方の躯体３の目地部２側の上面、本実施形態においては一方の躯体３のパラペット５の上面に固定され、上面が傾斜面状に形成されている。この水切りカバー６の一方の躯体３側（目地部２の反対側）の端部は、パラペット５の内側壁面５ａに当接するように、下方へ突出する誘導側壁６ａを備えており、一方、目地部２側の側面５ｂには、該側面５ｂに沿って略垂直に上方へ突出する押圧部９を備えている。
【００１５】
この水切りカバー６は、パラペット５の上部に複数本のアンカーボルト等で、所定間隔を隔てて複数個設けられた水切りカバー取付具１０を介して方の躯体３のパラペット５の上面に固定される。
【００１６】
固定目地カバー７は、図２に示すように、他方の建物４の壁面４ａに複数本のタッピングビス等によって所定間隔で固定された複数個の固定目地カバー用支持アーム１１に支持されるとともに、他方の躯体４の壁面４ａに取付端部が固定され、目地部２をカバーするものである。
【００１７】
この固定目地カバー７は、図５に示すように、上面が傾斜面状に形成されており、その突出端部７ａは、本実施形態においては水切りカバー６の一方の躯体３側の端部付近に位置する。また、固定目地カバー７の突出端部７ａには略垂直に下方に突出する側壁１２が設けられている。この側壁１２には、後述する可動目地カバー８に当接するゴム製のカバー片１３を設けることが望ましい。
【００１８】
なお、固定目地カバー７の前後方向の両側には、ヒンジ部材１４を介して回動する側部カバー板１５が設けられている。また、この側部カバー板１５の下部には、左右方向に伸縮する壁面用目地装置１６を設けることが望ましい。この壁面用目地装置１６は公知の壁面用目地装置を用いることができるので、ここではその説明は割愛する。
【００１９】
可動目地カバー８は、図６に示すように、他方の躯体に固定された可動目地カバー用支持アーム１７と、該可動目地カバー用支持アーム１７の上部に支持され、前後左右方向にスライド移動可能に設けられた可動目地カバー本体１８と、該可動目地カバー本体１８を他方の躯体側へ引っ張るように付勢する単数又は複数の付勢手段１９とで構成されている。この付勢手段１９は好ましくは複数設けることが望ましい。
【００２０】
この可動目地カバー本体１８は、本実施形態では、フレーム部材２０と、該フレーム部材２０の少なくとも上面を覆う板部材２１とで構成されている。
このフレーム部材２０は、本実施形態では、上面が略水平で、その突出端部には、略垂直状態に下方へ延在する端板状、突片状等の被押圧部２２が形成されており、フレーム内部は、例えば、強度を向上させるために格子状に形成されている。
【００２１】
このフレーム部材２０の上面、被押圧部２２の一方の躯体側の側面及び前後方向の側面には板部材２１が固定されており、目地部２の内部に雨水等が落ちることを防止している。
また、被押圧部２２の下部にも、水切りカバー６の上面に当接するゴム製のカバー片１３を設けることが望ましい。
【００２２】
固定目地カバー７及び可動目地カバー８の両方にカバー片１３を備えることにより、目地部２の内側に雨水が巻き上げられて侵入することを防止できる。
前記付勢手段１９は、他方の躯体４の壁面に一端部が固定された付勢スプリング２３と、この付勢スプリングの他端部に固定されたワイヤー２４とで構成されており、このワイヤー２４は滑車２５を介して前記フレーム部材２０の基端部側に固定される。
この付勢手段１９は複数個設けられており、本実施形態では前後方向に所定間隔を有して２つ備えている。
【００２３】
固定目地カバー用支持アーム１１及び可動目地カバー用支持アーム１８は、図７に示すように、一端部が他方の躯体４の壁面４ａに固定された縦長の支持アーム取付具２６に一方の躯体３側へ突出するように固定されている。本実施形態では支持アーム取付具２６の上端部付近に固定目地カバー用支持アーム１１が固定され、支持アーム取付具２６の下方に可動目地カバー用支持アーム１８が固定されている。
【００２４】
固定目地カバー用支持アーム１１は、上面が傾斜面状に形成された正面視略三角形状の支持部材で、その上面で固定目地カバー７を支持する。この固定目地カバー用支持アーム１１の取付基端部は、本実施形態では、支持アーム取付具２６にボルトによって固定されている。
【００２５】
支持アーム取付具２６は、略アングル状の１対の金具で、ボルト等により他方の躯体４の壁面４ａに固定される。
【００２６】
可動目地カバー用支持アーム１８は、略角柱状の支持部材で、その上面で稼働目地カバーを支持する。この可動目地カバー用支持アーム１８の取付基端部は、前記支持アーム取付具２６の下部にボルトによって固定されている。
上記構成において、地震で躯体３、４が左右方向に揺れ動き目地部２が狭くなると、例えば図８に示すように、固定目地カバー７や可動目地カバー８が一方の躯体３側へ突出するようにスライド移動し、地震による揺れ動きを吸収する。
【００２７】
一方、地震で躯体３、４が左右方向に揺れ動き目地部２が広くなると、図９に示すように、可動目地カバー８の被押圧部２２が水切りカバー６の押圧部９によって押圧され、可動目地カバー８が一方の躯体３側へスライド移動する。このように可動目地カバー８の可動目地カバー本体１８がスライド移動することにより、目地部２が開口することなく地震による揺れ動きを吸収することができる。
【００２８】
地震による揺れ動きが終了すると、可動目地カバー本体１８は付勢手段１９の付勢力によって通常時の位置に復帰する。
【００２９】
[発明を実施するための異なる形態]
次に、図１０乃至図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０乃至図１２に示す本発明を実施するための第２の形態において、前記本発明を実施するための第１の形態と主に異なる点は、上面が開口した略コ字状の可動目地カバー用支持アーム１７Ａを用い、この可動目地カバー支持アーム１７Ａの内部にスベリ部材２７（ローラー）を設けた点で、このような屋上用目地カバー装置１Ａにしても、前記本発明を実施するための第１の形態と同様の作用効果を得ることができると共に、地震時に可動目地カバー８を特に前後方向にスムーズにスライド移動させることができる。
【００３０】
なお、左右方向のスライド移動についても、スベリ部材２７と可動目地カバー８が略線接触状態となるため、摩擦抵抗が低減し、スムーズにスライド移動させることができる。
図１３乃至図１５に示す本発明を実施するための第３の形態において、前記本発明を実施するための第１の形態と主に異なる点は、可動目地カバー支持アーム１７の両側部にスベリ部材２７を固定した点で、このような屋上用目地カバー装置１Ｂにしても、前記本発明を実施するための第１の形態と同様の作用効果を得ることができると共に、地震時に可動目地カバー８をスムーズにスライド移動させることができる。
【００３１】
図１６及び図１７に示す本発明を実施するための第４の形態において、前記本発明を実施するための第３の形態と主に異なる点は、スベリ部材２７の一端部を１の可動目地カバー支持アーム１８に固定し、他端部をこの可動目地カバー支持アーム１７と隣り合う可動目地カバー支持アーム１７に固定した点で、このような屋上用目地カバー装置１Ｃにしても、前記本発明を実施するための第３の形態と同様の作用効果を得ることができると共に、スベリ部材２７が斜め状態となるため、可動目地カバー８をよりスムーズに前後左右方向にスライド移動させることができる。
【産業上の利用可能性】
【００３２】
本発明は屋上用目地カバー装置を製造する産業で利用される。
【符号の説明】
【００３３】
１、１Ａ、１Ｂ、１Ｃ：屋上用目地カバー装置、
２：目地部、                        ３：一方の躯体、
４：他方の躯体、                    ５：パラペット、
６：水切りカバー、                  ７：固定目地カバー、
８：可動目地カバー、                ９：押圧部、
１０：水切りカバー取付具、          １１：固定目地カバー用支持アーム、
１２：側壁、                        １３：カバー片、
１４：ヒンジ部材、                  １５：側部カバー板、
１６：壁面用目地装置、
１７、１７Ａ：可動目地カバー用支持アーム、
１８：可動目地カバー本体、          １９：付勢手段、
２０：フレーム部材、                ２１：板部材、
２２：被押圧部、                    ２３：付勢スプリング、
２４：ワイヤー、                    ２５：滑車、
２６：支持アーム取付具、            ２７：スベリ部材。
【図１】
2019056206.tif 000003
【図２】
2019056206.tif 000004
【図３】
2019056206.tif 000005
【図４】
2019056206.tif 000006
【図５】
2019056206.tif 000007
【図６】
2019056206.tif 000008
【図７】
2019056206.tif 000009
【図８】
2019056206.tif 000010
【図９】
2019056206.tif 000011
【図１０】
2019056206.tif 000012
【図１１】
2019056206.tif 000013
【図１２】
2019056206.tif 000014
【図１３】
2019056206.tif 000015
【図１４】
2019056206.tif 000016
【図１５】
2019056206.tif 000017
【図１６】
2019056206.tif 000018
【図１７】
2019056206.tif 000019